【手続補正書】
【提出日】平成25年7月8日(2013.7.8)
【手続補正１】
【補正対象書類名】特許請求の範囲
【補正対象項目名】全文
【補正方法】変更
【補正の内容】
【特許請求の範囲】
【請求項１】
送信所から送信された放送波を復調して放送信号を得るチューナ・復調手段と、
前記放送波の放送波識別情報、物理チャンネル及び放送対象地域を、送信所識別情報と対応づけた送信グループリストを格納する送信グループリスト格納手段と、
前記送信グループリストを参照し、それまで受信していた放送波の放送対象地域及びその隣接地域の放送局のチャンネルのみに選局候補を絞り込んだサーチ順リストを生成する選局候補抽出手段と、
前記サーチ順リストに従い前記チューナ・復調部に選局指示を行う選局制御手段とを備えたデジタル放送受信装置において、
サーチ中に受信した放送波の放送波識別情報とその受信物理チャンネルから、前記送信グループリスト格納手段を検索し、該受信中放送波を送信している送信所を推定する送信所推定手段を更に備え、
前記選局候補抽出手段は、該推定送信所が送信する物理チャンネルを優先してサーチするよう前記サーチ順リストを更新する
ことを特徴とするデジタル放送受信装置。
【請求項２】
送信所から送信された放送波を復調して放送信号を得るチューナ・復調手段と、
前記放送波の放送波識別情報、物理チャンネル、系列局識別情報を、送信所識別情報と対応づけて格納する送信グループリスト格納手段と、
それまで視聴していた放送波に対する中継局または系列局の物理チャンネルを、前記系列局識別情報を用いて前記送信グループリスト格納手段から取得し、サーチ順リストを生成する選局候補抽出手段と、
受信中の物理チャンネルの受信状況の悪化を検出する受信状況悪化判定手段と、
視聴状態悪化時に前記サーチ順リストに従い前記チューナ・復調部に選局指示を行う選局制御手段と
を備えたデジタル放送受信装置において、
サーチ中に受信した放送波の放送波識別情報とその受信物理チャンネルから、前記送信グループリスト格納手段を検索し、該受信中放送波を送信している送信所を推定する送信所推定手段を更に備え、
サーチ中に中継局でも系列局でもない放送波を受信した際に、前記選局候補抽出手段は前記送信グループリスト格納手段を参照し、該受信中放送波を送信する前記推定された送信所が中継局及び系列局を送信していないと判断した場合には、前記選局候補抽出手段は推定された送信所の属する地域とその隣接地域に属する放送局にサーチ対象を絞り込む
ことを特徴とするデジタル放送受信装置。
【請求項３】
送信所から送信された放送波を復調して放送信号を得るチューナ・復調手段と、
前記放送波の放送波識別情報、物理チャンネル、系列局識別情報を、送信所識別情報と対応づけて格納する送信グループリスト格納手段と、
それまで受信していた放送波に対する中継局または系列局の物理チャンネルを前記送信グループリスト格納手段から取得し、サーチ順リストを生成する選局候補抽出手段と、
受信中の物理チャンネルの受信状況の悪化を検出する受信状況悪化判定手段と、
前記サーチ順リストに従い前記チューナ・復調部に選局指示を行う選局制御手段とを備えたデジタル放送受信装置において、
サーチ中に受信した放送波の放送波識別情報とその受信物理チャンネルから、前記送信グループリスト格納手段を検索し、該受信中放送波を送信している送信所を推定する送信所推定手段を更に備え、
サーチ中に中継局でも系列局でもない放送波を受信した際に、前記選局候補抽出手段は前記送信グループリスト格納手段を参照し、該受信中放送波を送信する前記推定された送信所が中継局または系列局を送信していると判断した場合には、前記選局候補抽出手段は該系列局・中継局のチャンネルの選局順が最初になるようにサーチ順リストを生成する
ことを特徴とするデジタル放送受信装置。
【請求項４】
前記送信グループリスト格納手段が格納する前記送信グループリストは、各放送波の送信電力をさらに記録するものであり、
前記選局候補抽出手段は、送信電力がある閾値以下の放送波を前記サーチ順リストから除外する
ことを特徴とする請求項１から３のいずれか一項に記載のデジタル放送受信装置。
【請求項５】
前記送信グループリスト格納手段が格納する前記送信グループリストは、各放送波の送信電力をさらに記録するものであり、
前記選局候補抽出手段は、該送信電力を参照し送信電力の大きい放送波の選局優先度が高くなるように前記サーチ順リストを生成する
ことを特徴とする請求項１から３のいずれか一項に記載のデジタル放送受信装置。
【請求項６】
前記選局制御手段は、前記サーチ順リストに従って選局した物理チャンネルの放送波の受信ができなかったときは、前記サーチ順リストの次の選局候補である物理チャンネルを前記チューナ・復調手段に選局させる
ことを特徴とする請求項１から３のいずれか一項に記載のデジタル放送受信装置。
【請求項７】
前記放送信号に含まれる周波数リストをダウンロードするデマルチプレクス手段と、
前記ダウンロードされた周波数リストの情報から送信所毎に送信される複数の放送波と、当該放送波の物理チャンネル及び系列局識別情報を関連付けて送信所毎にグループ化した送信グループリストを生成する送信グループリスト生成手段とをさらに備え、
前記送信グループリスト格納手段は、前記送信グループリスト生成手段が生成した送信グループリストを格納する
ことを特徴とする請求項１から３のいずれか一項に記載のデジタル放送受信装置。
【請求項８】
前記送信グループリスト格納手段は、前記送信グループリストに、各放送波の直前に受信していた他の放送波が中継局または系列局により送信される放送波であった場合に、前記各放送波に対して前記他の放送波の物理チャンネルを関連付けて記録し、
前記選局候補抽出手段は、受信中の放送波の受信状況が悪化した際に、前記送信グループリストを参照し当該受信状況が悪化した放送波に関連付けて前記他の放送波が記録されていた場合、前記他の放送波を最初にサーチするよう前記サーチ順リストを生成する
ことを特徴とする請求項２または３に記載のデジタル放送受信装置。
【手続補正２】
【補正対象書類名】明細書
【補正対象項目名】発明の名称
【補正方法】変更
【補正の内容】
【発明の名称】デジタル放送受信装置
【手続補正３】
【補正対象書類名】明細書
【補正対象項目名】０００９
【補正方法】変更
【補正の内容】
【０００９】
本発明の一態様のデジタル放送受信装置は、
送信所から送信された放送波を復調して放送信号を得るチューナ・復調手段と、
前記放送波の放送波識別情報、物理チャンネル及び放送対象地域を、送信所識別情報と対応づけた送信グループリストを格納する送信グループリスト格納手段と、
前記送信グループリストを参照し、それまで受信していた放送波の放送対象地域及びその隣接地域の放送局のチャンネルのみに選局候補を絞り込んだサーチ順リストを生成する選局候補抽出手段と、
前記サーチ順リストに従い前記チューナ・復調部に選局指示を行う選局制御手段とを備えたデジタル放送受信装置において、
サーチ中に受信した放送波の放送波識別情報とその受信物理チャンネルから、前記送信グループリスト格納手段を検索し、該受信中放送波を送信している送信所を推定する送信所推定手段を更に備え、
前記選局候補抽出手段は、該推定送信所が送信する物理チャンネルを優先してサーチするよう前記サーチ順リストを更新する
ことを特徴とする。
【手続補正４】
【補正対象書類名】明細書
【補正対象項目名】００１０
【補正方法】変更
【補正の内容】
【００１０】
本発明の他の態様のデジタル放送受信装置は、
送信所から送信された放送波を復調して放送信号を得るチューナ・復調手段と、
前記放送波の放送波識別情報、物理チャンネル、系列局識別情報を、送信所識別情報と対応づけて格納する送信グループリスト格納手段と、
それまで視聴していた放送波に対する中継局または系列局の物理チャンネルを、前記系列局識別情報を用いて前記送信グループリスト格納手段から取得し、サーチ順リストを生成する選局候補抽出手段と、
受信中の物理チャンネルの受信状況の悪化を検出する受信状況悪化判定手段と、
視聴状態悪化時に前記サーチ順リストに従い前記チューナ・復調部に選局指示を行う選局制御手段と
を備えたデジタル放送受信装置において、
サーチ中に受信した放送波の放送波識別情報とその受信物理チャンネルから、前記送信グループリスト格納手段を検索し、該受信中放送波を送信している送信所を推定する送信所推定手段を更に備え、
サーチ中に中継局でも系列局でもない放送波を受信した際に、前記選局候補抽出手段は前記送信グループリスト格納手段を参照し、該受信中放送波を送信する前記推定された送信所が中継局及び系列局を送信していないと判断した場合には、前記選局候補抽出手段は推定された送信所の属する地域とその隣接地域に属する放送局にサーチ対象を絞り込む
ことを特徴とする。
本発明のさらに他の態様のデジタル放送受信装置は、
送信所から送信された放送波を復調して放送信号を得るチューナ・復調手段と、
前記放送波の放送波識別情報、物理チャンネル、系列局識別情報を、送信所識別情報と対応づけて格納する送信グループリスト格納手段と、
それまで受信していた放送波に対する中継局または系列局の物理チャンネルを前記送信グループリスト格納手段から取得し、サーチ順リストを生成する選局候補抽出手段と、
受信中の物理チャンネルの受信状況の悪化を検出する受信状況悪化判定手段と、
前記サーチ順リストに従い前記チューナ・復調部に選局指示を行う選局制御手段とを備えたデジタル放送受信装置において、
サーチ中に受信した放送波の放送波識別情報とその受信物理チャンネルから、前記送信グループリスト格納手段を検索し、該受信中放送波を送信している送信所を推定する送信所推定手段を更に備え、
サーチ中に中継局でも系列局でもない放送波を受信した際に、前記選局候補抽出手段は前記送信グループリスト格納手段を参照し、該受信中放送波を送信する前記推定された送信所が中継局または系列局を送信していると判断した場合には、前記選局候補抽出手段は該系列局・中継局のチャンネルの選局順が最初になるようにサーチ順リストを生成する
ことを特徴とする。